【手続補正書】
【提出日】平成17年2月28日(2005.2.28)
【手続補正１】
【補正対象書類名】明細書
【補正対象項目名】全文
【補正方法】変更
【補正の内容】
【書類名】      明細書
【発明の名称】  コンクリート型枠の支持装置
【特許請求の範囲】
【請求項１】  縦横のリブを備えた金属製コンクリート型枠の支持装置であって、一端をコンクリート型枠の下部に繋げる水平脚と、一端をコンクリート型枠の上部に繋げ他端を床面に固定する座板に繋げて傾斜配置する支柱とからなり、支柱の下部に水平脚の他端を繋げ、支柱はターンバックルを介在させて調整することができるようにしたことを特徴とするコンクリート型枠の支持装置。
【発明の詳細な説明】
【０００１】
【発明の属する技術分野】
この発明は、コンクリートにより壁、柱、土台などを形成する場合に用いるコンクリート型枠の支持装置（やらず）に関するものである。
特に、繰り返し用いることのできる金属製コンクリート型枠に好適なもので、取り付け、取り外しが容易で、繰り返し使用することができるようにしたものである。
【０００２】
【従来の技術】
コンクリート型枠の支持装置は、壁面などを形成するため対峙させたコンクリート型枠を外側から支えて硬化するコンクリートの倒れを防ぎ、仕上がったコンクリート壁が垂直となるようにするものである。
従来一般的には、コンクリート型枠の支持装置は、横バタ材、縦バタ材、支柱、筋交い、これらを繋ぐ金具などというように極めて多くの構成部品からなるものであった。
【０００３】
【発明が解決しようとする課題】
従前のこのような支持装置では、部品点数が極めて多く、管理、現場への搬入、組み立て、取り付け固定、コンクリートの養生硬化後の取り外しなどが極めて面倒な作業となっていた。
【０００４】
【課題を解決するための手段】
この発明は、従来のこのような手間の掛かる作業に鑑みて開発したものでその要旨とするのは、縦横のリブを備えた金属製コンクリート型枠の支持装置であって、一端をコンクリート型枠の下部に繋げる水平脚と、一端をコンクリート型枠の上部に繋げ他端を床面に固定する座板に繋げて傾斜配置する支柱とからなり、支柱の下部に水平脚の他端を繋げ、支柱はターンバックルを介在させて調整することができるようにしたことを特徴とするものである。
【０００５】
【発明の実施の形態】
以下図面に示すこの発明の実施の形態に即して説明する。
図１は、この発明に係るコンクリート型枠の支持装置の使用状態を示す概略斜視図であり、図２は支持装置の分解斜視図である。
コンクリート型枠１は金属製、すなわち鋼板或いはアルミニウム板からなる面板１１と裏面周囲の縦リブ１２及び横リブ１３、横リブ１３と平行な補助リブ１４、縦リブ１２と平行な中リブ１５を備えるものである。これら各種リブは面板１１と同効材か或いは合板などで構成することができる。図示例は金属板で構成し、補助リブ１４、中リブ１５は溝型板をもって構成するものとしてある。
縦リブ１２及び横リブ１３は上下左右に繋げるため貫通穴１２ａ、１３ａを敵数穿ってある。また、補助リブ１４の上中下には面板１１まで貫通する抜き穴１４ａを列設するようにして図示しないスペーサーのタイロッドを貫通させることができるようになっている。
【０００６】
このコンクリート型枠１に対して一の支持装置２をもってコンクリート型枠１を背面より垂直に支持するのであるが、この実施の形態では、床面に近い箇所に配置される水平脚３と、斜めに渡され水平脚３に固定する支柱４とからなり、支柱４は床面に取り付け固定する座板５に繋げ、支柱４にはターンバックル４３を介在させて調整することができるようにしたものである。
【０００７】
水平脚３は、溝形板３１に一対の矩形板からなる接合体３２をボルト３３及び図示しないナットにより連結してなるもので、溝形板３１の一端部に穴３４を穿ち、この一端をコンクリート型枠１の下方の補助リブ１４内に差し込み、補助リブに穿った穴と重ね合わせて、先端部に溝穴を穿ったピン３５と溝穴に打ち込むコッタ３６により取り外し自在に繋げるようにし、他端部は接合体３２の間に支柱４の下部を差し込み、止めねじ３７と図示しないナットにより繋げるようにしてある。
【０００８】
支柱４は、ボルト付丸棒４１、４２をターンバックル４３にねじ込み、上部のボルト付丸棒４１にクランプ４４を設けるようにしてなるものである。４３ａはターンバックル４３の胴部に穿った操作用の穴である。
クランプ４４は、補助リブ１４内に入り込むコ字状の本体４４ａにボルト付丸棒４１の上端部を挟む取付片４４ｂを連設してなり、取付片４４ｂとボルト付丸棒４１を貫通させるボルト４５及びナット４６で一体となるようにしてある。
クランプ４４の本体４４ａの上下には穴４４ｃ、４４ｃを穿ち、補助リブ１４に設けた図示しない穴と重ね合わせ、先端部に溝穴を穿ったピン４７とコッタ４８により取り外し自在に繋げるようにしてある。
支柱４下部のボルト付丸棒４２では、前述のように止めねじ３７とナットにより水平脚３に繋げるようにしてある。
支柱４の下端、すなわちボルト付丸棒４２の開放端では、鋼板製の座板５を設けた一対の起立板５１、５１の間挟まれるようにし、ボルト５１ａ及び図示しないナットで繋げるようにする。
【０００９】
そして座板５は、周囲に適数の取付穴５２を穿ち、この取付穴５２よりアンカーボルト６で床面に取り付け固定する。
そこで、支柱４はコンクリート型枠１の補助リブ１４と座板５の間に傾斜配置されることになる。
【００１０】
このような構成からなる支持装置２は、例えばコンクリート建築物の仕切壁を形成するのに、コンクリート型枠１、１で鉄筋を囲んで対峙させ、図示しないスペーサーにて壁面の厚みに対応する間隔を空けて配置し、さらにコンクリート型枠１を仕切壁の長さになるまで複数横方向に繋げた後に用いるのである。このとき予め、床面には鋼板製の座板５をコンクリート床に配し、アンカーボルト６にて固定しておく。
支持装置２の水平脚３及び支柱４を広げて、支柱４の上部のクランプ４４にてコンクリート型枠１の上部の補助リブ１４内に入れ、ピン４７を通し、コッタ４８を打ち込んで固定し、同様に、水平脚３の一端を補助リブ１４に差し込みピン３５及びコッタ３６にて固定する。
しかる後、支柱４の下端部を座板５の起立板５１、５１間に置いて、ボルト５１ａを支柱４に貫通させて図示しないナットを締め付けて固定するのである。
【００１１】
なお、予め支柱の下端部を座板５にボルト５１ａ及び図示しないナットにて締めつけて固定しておき、おおよそコンクリート型枠１が垂直となった位置を定めてからアンカーボルト６にて座板５を床面に固定してもよい。
支持装置２によるコンクリート型枠１の垂直を図るには、ターンバックル４３をその側面に穿った操作用の穴４３ａに工具を差し込み回転させることで支柱４を伸長或いは縮小させ長さを変えることで、コンクリート型枠１の正確な垂直を出すようにする。
【００１２】
支持装置２の水平脚３及び支柱４のコンクリート型枠１への取り付け取り外しについて、簡易になし得るように、ピン３５、４７、コッタ３６、４８を採用したが、ボルト、ナットを代わりに用いることもできる。
さらに水平脚３及び支柱４の、補助リブ１４への取り付け箇所を、平面円弧状にすることで、コンクリート壁の硬化後にコンクリート型枠１を外すのに、アンカーボルト６を抜いた後に、支持装置２を、ピン３５、４７を支点に回動させてコンクリート型枠１に沿わせるようにして嵩を小さくして、次の使用に備えるようにすることもできる。
【００１３】
【発明の効果】
この発明は以上のような構成からなるもので、支持装置を水平脚と傾斜させて繋げる支柱とから構成し、現場に搬入してからコンクリート型枠の背面に繋げ、支柱の途中のターンバックルで微調整してコンクリート型枠を簡単な操作で垂直に立てるのである。
そして、構成が簡単で、繰り返し用いることができるのである。
【図面の簡単な説明】
【図１】
この発明に係るコンクリート型枠の使用状態を示す概略斜視図である。
【図２】
支持装置の分解斜視図である。
【符号の説明】
１  コンクリート型枠
１１  面板
１２  縦リブ
１３  横リブ
１４  補助リブ
１５  中リブ
２  支持装置
３  水平脚
４  支柱
４３  ターンバックル
５  座板
６  アンカーボルト